(57)【要約】  電力系統から供給される電力の時間帯毎の買電価格を示す買電価格情報を取得する価格情報取得部（１１）と、蓄電池から負荷に供給可能な電力量を示す放電余力情報を取得する放電余力情報取得部（１２）と、買電価格情報と放電余力情報とを利用して、単位時間毎に区分けされた複数の放電時間帯各々に、蓄電池から放電される電力量の上限値を決定した放電スケジュールを生成する放電スケジュール生成部（１３）と、を有する蓄電池管理装置（１０）。
2015045552.tif 000002
【特許請求の範囲】
【請求項１】
蓄電池から負荷に供給可能な電力量を示す放電余力情報に基づいて、単位時間毎に区分けされた放電時間帯毎に前記蓄電池から放電される電力の上限値、又は、前記蓄電池から放電される電力量の上限値を決定することを特徴とする蓄電池管理装置。
【請求項２】
請求項１に記載の蓄電池管理装置において、
前記蓄電池に供給する電力に関する情報と、前記放電余力情報と、に基づいて、前記上限値を決定する蓄電池管理装置。
【請求項３】
請求項１又は２に記載の蓄電池管理装置において、
前記電力に関する情報は、時間帯毎の買電価格を示す買電価格情報である蓄電池管理装置。
【請求項４】
請求項３に記載の蓄電池管理装置において、
前記買電価格が相対的に低い前記放電時間帯よりも、前記買電価格が相対的に高い前記放電時間帯の方が大きくなるように前記上限値を決定する蓄電池管理装置。
【請求項５】
請求項３又は４に記載の蓄電池管理装置において、
前記買電価格が高い前記放電時間帯の優先順位が高くなるように前記放電時間帯に優先順位を付し、第１の前記放電時間帯の前記上限値が、前記第１の時間帯より優先順位が低い第２の前記時間帯の前記上限値以上となるように、前記上限値を決定する蓄電池管理装置。
【請求項６】
請求項３から５のいずれか１項に記載の蓄電池管理装置において、
前記複数の放電時間帯を、前記買電価格が相対的に高い前記放電時間帯をまとめた第１のグループと、前記買電価格が相対的に低い前記放電時間帯をまとめた第２のグループとに分け、
前記電力の前記上限値、又は、前記電力量の前記上限値に基づいて、各放電時間帯に放電され得る最大電力量を特定し、
前記第１のグループに含まれる前記放電時間帯の前記最大電力量の合計である第１の合計と、前記第２のグループに含まれる前記放電時間帯であって、前記第１のグループに含まれる少なくとも１つの前記放電時間帯よりも時間的に前の前記放電時間帯の前記最大電力量の合計である第２の合計との和が、前記放電余力情報に基づいて決定される所定の電力量を超えないように前記放電スケジュールを生成する蓄電池管理装置。
【請求項７】
請求項６に記載の蓄電池管理装置において、
前記第２のグループに含まれる前記放電時間帯であって、前記第１のグループに含まれるすべての前記放電時間帯よりも時間的に後の前記放電時間帯の前記最大電力量の合計である第３の合計と、前記第１の合計と、前記第２の合計との和が、前記放電余力情報に基づいて決定される前記所定の電力量以上となるように前記放電スケジュールを生成する蓄電池管理装置。
【請求項８】
請求項３から７のいずれか１項に記載の蓄電池管理装置において、
前記放電時間帯各々に対して、前記蓄電池が放電可能な最大の電力、及び、前記最大の電力より小さい所定の値のいずれかを前記上限値として決定する蓄電池管理装置。
【請求項９】
請求項３から７のいずれか１項に記載の蓄電池管理装置において、
前記放電時間帯各々に対して、前記蓄電池が前記単位時間あたりに放電可能な最大の電力量、及び、前記最大の電力量より小さい所定の値のいずれかを前記上限値として決定する蓄電池管理装置。
【請求項１０】
請求項３から９のいずれか１項に記載の蓄電池管理装置において、
前記負荷の電力需要予測を示す需要予測情報をさらに利用して、前記上限値を決定する蓄電池管理装置。
【請求項１１】
請求項１０に記載の蓄電池管理装置において、
前記放電時間帯における前記電力需要予測の値以上の値を、前記上限値として決定する蓄電池管理装置。
【請求項１２】
請求項３から１１のいずれか１項に記載の蓄電池管理装置において、
前記負荷又は前記蓄電池に電力を供給する発電装置の時間帯毎の発電量予測を示す発電予測情報をさらに利用して、前記上限値を決定する蓄電池管理装置。
【請求項１３】
請求項１２に記載の蓄電池管理装置において、
前記発電装置が発電した電力の売電価格を示す売電価格情報をさらに利用して、前記上限値を決定する蓄電池管理装置。
【請求項１４】
請求項１３に記載の蓄電池管理装置において、
前記売電価格が前記買電価格以下の時間帯においては、前記発電装置が発電した電力は前記負荷又は前記蓄電池に供給され、
前記売電価格が前記買電価格より高い時間帯においては、前記発電装置が発電した電力は前記負荷及び前記蓄電池に供給されない、
前提で、前記上限値を決定する蓄電池管理装置。
【請求項１５】
請求項１から１３のいずれか１項に記載の蓄電池管理装置において、
所定のタイミングで、そのタイミングにおいて前記蓄電池から前記負荷に供給可能な電力量を示す更新放電余力情報を取得し、更新放電余力情報をさらに利用して、前記所定のタイミングより後の前記放電時間帯の前記上限値を更新する蓄電池管理装置。
【請求項１６】
請求項１から１５のいずれか１項に記載の蓄電池管理装置において、
電力系統から供給される電力量に応じた時間帯毎の特典を示す特典情報をさらに利用して、前記上限値を決定する蓄電池管理装置。
【請求項１７】
請求項１６に記載の蓄電池管理装置において、
前記特典情報は、第１の時間帯における前記電力系統から供給される電力量が所定値より少ない場合に所定の特典が得られることを示すものであり、
前記第１の時間帯に含まれる前記放電時間帯に、他の前記放電時間帯より大きい前記上限値を決定する蓄電池管理装置。
【請求項１８】
請求項１から１７のいずれか１項に記載の蓄電池管理装置において、
前記電力の前記上限値、又は、前記電力量の前記上限値に基づいて特定される各放電時間帯に放電され得る最大電力量は、前記蓄電池から負荷に供給可能な電力量から所定量を差し引いた電力量である蓄電池管理装置。
【請求項１９】
請求項１から１８のいずれか１項に記載の蓄電池管理装置において、
前記蓄電池が前記電力系統から電力を取得して充電する充電可能時間帯を決定し、前記充電可能時間帯を除く時間帯を前記放電時間帯として決定する蓄電池管理装置。
【請求項２０】
請求項１から１９のいずれか１項に記載の蓄電池管理装置が決定した前記上限値に従い、電力を放電する蓄電池。
【請求項２１】
コンピュータが、
蓄電池から負荷に供給可能な電力量を示す放電余力情報に基づいて、単位時間毎に区分けされた放電時間帯毎に前記蓄電池から放電される電力の上限値、又は、前記蓄電池から放電される電力量の上限値を決定する蓄電池管理方法。
【請求項２２】
コンピュータに、
蓄電池から負荷に供給可能な電力量を示す放電余力情報に基づいて、単位時間毎に区分けされた放電時間帯毎に前記蓄電池から放電される電力の上限値、又は、前記蓄電池から放電される電力量の上限値を決定する工程を実施させるためのプログラム。
【発明の詳細な説明】
【技術分野】
【０００１】
本発明は、蓄電池管理装置、蓄電池、蓄電池管理方法及びプログラムに関する。
【背景技術】
【０００２】
蓄電池の動作を管理する技術がある。特許文献１には、気温や水温、あるいは装置の劣化などによる装置特定の変化があっても最適な運転計画を作成することができる分散型エネルギーシステム制御装置が開示されている。【０００３】
特許文献１の分散型エネルギーシステム制御装置は、モデル化用運転計画作成部と、計測情報格納部と、装置特性モデル化部と、装置特性格納部と、最適運転計画作成部と、需要量予測部とを有する。モデル化用運転計画作成部は、事前に設定されたエネルギー発生装置とエネルギー蓄積装置のモデル化用運転計画に基づいて運転計画を作成する。計測情報格納部は、モデル化用運転計画に基づいて運転した装置の出力特性の計測結果を内部に格納する。装置特性モデル化部は、記憶された出力特性に基づいて装置特性をモデル化し、装置特性格納部に格納する。最適運転計画作成部は、モデル化された装置特性と、需要量予測部によって予測された需要量により最適運転計画を作成する。【０００４】
特許文献２には、需要家の行動を踏まえつつ、電力系統全体のエネルギー消費性能および社会環境性能を向上させるための充放電管理装置が開示されている。【０００５】
特許文献２の充放電管理装置は、需要家の充放電行動により享受できる報奨および充電・放電の実施に関する制約を定めた充放電報奨情報を充電管理中央サーバから受信する充放電報奨情報受信手段と、充放電報奨情報に基づいて、報奨が最大になるように、ある時間帯の充電量の合計および放電量の合計と、電気自動車の推定使用開始時刻とを含む充放電計画を作成する計算部と、充放電計画に従った充電・放電の開始・終了を電気自動車に指令する充放電指令送信手段と、充電・放電を監視する充放電量監視手段と、監視により、充電・放電の実施内容および自身を識別する個体識別情報を含む充放電実施結果を充電管理中央サーバに送信する充放電実施結果送信手段とを有する。【０００６】
特許文献３には、蓄電池を用いて、電力を有効に利用することが可能な制御装置が開示されている。当該制御装置は、時間帯毎に異なる電力料金を示す電力料金情報を取得し、当該電力料金が料金閾値より低い期間を充電期間としたスケジュールを生成する。
【先行技術文献】
【特許文献】
【０００７】
【特許文献１】特開２００６−３２５３３６号公報
【特許文献２】特開２０１１−５０２４０号公報
【特許文献３】特開２０１２−１１５００３号公報
【発明の概要】
【発明が解決しようとする課題】
【０００８】
電力供給者から電力系統を介して供給される電力の料金プランとして、１日を昼間の時間帯と夜間の時間帯の２つに分け、昼間の時間帯より夜間の時間帯の単価を安くしたものがある。このような料金プランの場合、電力需要家は昼間の電力購入を抑制しようと考える。例えば蓄電池を有する電力需要家は、夜間に電力系統から電力の供給を受けて蓄電池に充電し、この電力を昼間に使用することで、電力供給者に支払う電力料金を下げることができる（特許文献３参照）。【０００９】
一般的に、電力需要家による電力使用量は夜間よりも昼間の方が多く、電力系統から電力需要家に供給される電力のピーク（電力ピーク）は昼間に現れる。上記料金プランにより電力需要家が昼間の電力購入を抑制すると、電力供給者は、昼間に現れる電力ピークをカットすることができ、電力の安定供給を実現し易くなる。【００１０】
ところで、電力ピークは、昼間の中の特定の時間帯、例えば夏場の場合は１３時から１７時等に現れる。昼間の時間帯を複数の時間帯に分け、各時間帯に異なる単価を決定した料金プランによれば、電力供給者は効果的に電力ピークをカットすることができると考えられる。また、蓄電池を有する電力需要家は、昼間の時間帯における電力使用において、蓄電池に充電された電力と、電力系統から供給された電力とを、時間帯毎の単価の違いに応じて適切に使い分けることで、電力料金を下げることができる。しかし、従来、このような料金プランを想定し、蓄電池からの放電スケジュールを適切に制御する技術が存在しなかった。【００１１】
本発明は、蓄電池からの放電スケジュールを制御する新たな技術を提供することを課題とする。
【課題を解決するための手段】
【００１２】
本発明によれば、
蓄電池から負荷に供給可能な電力量を示す放電余力情報に基づいて、単位時間毎に区分けされた放電時間帯毎に前記蓄電池から放電される電力の上限値、又は、前記蓄電池から放電される電力量の上限値を決定することを特徴とする蓄電池管理装置が提供される。【００１３】
また、本発明によれば、上記蓄電池管理装置が決定した前記上限値に従い、電力を放電する蓄電池が提供される。【００１４】
また、本発明によれば、
コンピュータが、
蓄電池から負荷に供給可能な電力量を示す放電余力情報に基づいて、単位時間毎に区分けされた放電時間帯毎に前記蓄電池から放電される電力の上限値、又は、前記蓄電池から放電される電力量の上限値を決定する蓄電池管理方法が提供される。【００１５】
また、本発明によれば、
コンピュータに、
蓄電池から負荷に供給可能な電力量を示す放電余力情報に基づいて、単位時間毎に区分けされた放電時間帯毎に前記蓄電池から放電される電力の上限値、又は、前記蓄電池から放電される電力量の上限値を決定する工程を実施させるためのプログラムが提供される。
【発明の効果】
【００１６】
本発明によれば、蓄電池からの放電スケジュールを制御する新たな技術が実現される。
【図面の簡単な説明】
【００１７】
上述した目的、およびその他の目的、特徴および利点は、以下に述べる好適な実施の形態、およびそれに付随する以下の図面によってさらに明らかになる。【００１８】
【図１】本実施形態の蓄電池管理装置の適用例を示す図である。
【図２】本実施形態の蓄電池システムの機能ブロック図の一例を示す図である。
【図３】本実施形態の蓄電池管理装置の適用例を示す図である。
【図４】本実施形態の蓄電池管理装置のハードウエア構成の一例を概念的に示す図である。
【図５】本実施形態の蓄電池管理装置の機能ブロック図の一例を示す図である。
【図６】本実施形態の買電価格情報の一例を模式的に示す図である。
【図７】本実施形態の放電スケジュールの一例を模式的に示す図である。
【図８】本実施形態の蓄電池管理装置の処理の流れの一例を示すフローチャートである。
【図９】本実施形態の放電スケジュール生成部の構成を説明するための図である。
【図１０】本実施形態の放電スケジュール生成部の構成を説明するための図である。
【図１１】本実施形態の放電スケジュール生成部の構成を説明するための図である。
【図１２】放電時間帯を第１のグループと第２のグループに分けるための情報の一例を示す図である。
【図１３】本実施形態の放電スケジュール生成部の構成を説明するための図である。
【図１４】本実施形態の蓄電池管理装置の機能ブロック図の一例を示す図である。
【図１５】本実施形態の放電スケジュール生成部の構成を説明するための図である。
【図１６】本実施形態の蓄電池管理装置の機能ブロック図の一例を示す図である。
【図１７】本実施形態の放電スケジュール生成部の構成を説明するための図である。
【図１８】本実施形態の放電スケジュール生成部の構成を説明するための図である。
【図１９】本実施形態の放電スケジュール生成部の構成を説明するための図である。
【図２０】本実施形態の放電スケジュール生成部の構成を説明するための図である。
【図２１】本実施形態の放電スケジュール生成部の構成を説明するための図である。
【発明を実施するための形態】
【００１９】
以下、本発明の実施の形態について図面を用いて説明する。なお、同様の構成要素には同様の符号を付し、適宜説明を省略する。
【００２０】
＜適用例＞
まず、本実施形態の蓄電池管理装置の適用例について説明する。図１は、本実施形態の蓄電池管理装置の第１の適用例を示す図である。
【００２１】
蓄電池管理装置１０は、管理センタ２０内に備えられている。そして、蓄電池管理装置１０は、インターネットやＬＡＮ（Local Area Network）等のネットワーク５０を介して、電力需要家３０の家や施設等に設置された蓄電池システム４０と接続されている。蓄電池管理装置１０は、蓄電池システム４０と通信して情報の送受信を行い、蓄電池システム４０の動作を管理する。具体的には、蓄電池管理装置１０は蓄電池システム４０の放電スケジュールを生成する。そして、蓄電池システム４０は、蓄電池管理装置１０が生成した放電スケジュールに従い自システムに充電された電力の放電を行う。
【００２２】
ここで、図２に、蓄電池システム４０の機能ブロック図の一例を示す。図示するように、蓄電池システム４０は、１つ又は複数の電池パック４４と、ＢＭＵ（Battery Management Unit）４２と、ＰＣＳ（Power Conditioning System）４１と、システムコントローラ４３とを有する。
【００２３】
電池パック４４は、直列及び／又は並列に接続された複数の電池セルを有し、電力を貯めるように構成される。電池パック４４は二次電池であり、例えば、リチウムイオン二次電池、鉛蓄電池、ニッケル水素電池等である。
【００２４】
ＢＭＵ４２は、電池パック４４を保護・制御する。ＰＣＳ４１は、ＢＭＵ４２と、電力系統４５、負荷４６及び発電装置４７との間に位置し、電力の直流／交流変換を行ったり、電圧や周波数を調整したりする。電力系統４５は、電力供給者（例：電力会社等）に管理され、電力需要家に電力を供給するためのシステムである。発電装置４７は、電力需要家各々が管理する装置であり、その種類は特段制限されない。例えば、発電装置４７は、太陽光などの自然エネルギーを利用して発電する装置であってもよい。システムコントローラ４３は、ＢＭＵ４２及びＰＣＳ４１を一元管理する。システムコントローラ４３は、インターネットやＬＡＮ等のネットワーク５０に接続され、蓄電池システム４０を管理する管理センタ２０との間でデータの送受信を行う。
【００２５】
なお、図２において、電池パック４４、ＢＭＵ４２、ＰＣＳ４１及びシステムコントローラ４３は分けて記載されているが、これは、これら４つのモジュールが論理的に分離して構成されることを示している。これらのモジュールは、物理的にも分離して構成されてもよいし、又は、少なくとも一部が任意の組み合わせで一体形成されてもよい。例えば、電池パック４４とＢＭＵ４２は単一の筐体内に設置されてもよい。
【００２６】
図３は、本実施形態の蓄電池管理装置の第２の適用例を示す図である。図示するように、蓄電池管理装置１０は電力需要家３０の家や施設等毎に設置されてもよい。
【００２７】
＜ハードウエア構成＞
本実施形態の蓄電池管理装置１０は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インタフェイスを中心にハードウエアとソフトウエアの任意の組合せによって実現される。そして、その実現方法、装置にはいろいろな変形例があることは、当業者には理解されるところである。
【００２８】
図４は、本実施形態の蓄電池管理装置１０のハードウエア構成の一例を概念的に示す図である。図示するように、本実施形態の蓄電池管理装置１０は、例えば、バス８Ａで相互に接続されるＣＰＵ１Ａ、ＲＡＭ（Random Access Memory）２Ａ、ＲＯＭ（Read Only Memory）３Ａ、通信部４Ａ、ディスプレイ５Ａ、操作受付部６Ａ、操作部７Ａ等を有する。なお、図示しないが、マイク、スピーカ、補助記憶装置などのその他の要素を含むこともできる。
【００２９】
ＣＰＵ１Ａは各要素とともに蓄電池管理装置１０のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。
【００３０】
操作部７Ａは、操作キー、操作ボタン、スイッチ、ジョグダイヤル、タッチパッド、ディスプレイと一体になったタッチパネルなどを含む。操作受付部６Ａは、ユーザが操作部７Ａを操作することでなされるユーザ入力を受付ける。
【００３１】
通信部４Ａは、インターネットやＬＡＮ等のネットワークに接続することができる。また、通信部４Ａは、外部機器と１対１で接続して、当該外部機器と通信を行うことができる。通信部４Ａは、有線で、及び／又は、あらゆる無線通信技術（近距離無線通信、無線ＬＡＮ通信等）を利用して、外部機器やネットワークと接続することができる。
【００３２】
ディスプレイ５Ａは、ＬＥＤ（Light Emitting Diode）表示器や、液晶ディスプレイ、有機ＥＬ（Electro Luminescence）ディスプレイなどを含む。
【００３３】
＜第１の実施形態＞
本実施形態の蓄電池管理装置は、蓄電池から負荷に供給可能な電力量を示す放電余力情報に基づいて、単位時間毎に区分けされた放電時間帯毎に蓄電池から放電される電力の上限値、又は、蓄電池から放電される電力量の上限値を決定する。本実施形態の蓄電池管理装置は、蓄電池に供給する電力に関する情報と、放電余力情報と、に基づいて、上記上限値を決定することができる。電力に関する情報は、例えば、時間帯毎の買電価格を示す買電価格情報である。
【００３４】
図５に、本実施形態の蓄電池管理装置１０の機能ブロック図の一例を示す。図示するように、蓄電池管理装置１０は、価格情報取得部１１と、放電余力情報取得部１２と、放電スケジュール生成部１３とを有する。
【００３５】
価格情報取得部１１は、電力系統４５から供給される電力（電力供給者が販売する電力）の時間帯毎の買電価格を示す買電価格情報を取得する。図６に、買電価格情報の一例を示す。図示する買電価格情報は、１日を６つの時間帯に分けている。そして、時間帯ごとに価格が設定されている。このように、買電価格情報は、昼間の時間帯を複数の時間帯に分け、時間帯ごとの価格が設定された情報であってもよい。なお、図示する「Ｍ時〜Ｍ＋１時」は、Ｍ時を含み、Ｍ＋１時を含まない時間帯とする（以下同様）。
【００３６】
１日をいくつの時間帯に分けるか、及び、各時間帯の価格は適宜設定可能である。例えば、制御対象となる蓄電池システムの数や蓄電容量、需要家による設定等により適切に設定することができる。一般的に、電力の使用量が多い昼間の時間帯の価格が高くなり、電力の使用量が少ない夜間の時間帯の価格が安くなる傾向にある。また、図示する買電価格の単位「円／ｋｗｈ」は一例であり、これに限定されない。買電価格情報は、特定の日ごとに異なる内容であってもよい。例えば、月から金曜日用の買電価格情報と、土曜日用の買電価格情報と、日曜日及び祝日用の買電価格情報とが存在してもよい。また、買電価格情報は、所定のタイミング（１年ごと、半年ごと、１月ごと、１週間ごと、１日ごと等）で内容が更新されてもよい。これらは、一般的には、電力供給者により決定される事項である。
【００３７】
価格情報取得部１１が買電価格情報を取得する手段は特段制限されない。例えば、ユーザが、所定の手段で買電価格情報を取得し（例：自己の端末装置を用いて、買電価格情報を提供するサーバにネットワーク５０を介してアクセスして取得）、蓄電池管理装置１０に入力してもよい。そして、価格情報取得部１１はこのようにして蓄電池管理装置１０に入力された買電価格情報を取得してもよい。または、価格情報取得部１１は外部機器（例：電力供給者のサーバ）のアドレス情報を保持しておき、所定のタイミングで自ら当該外部機器にアクセスして、買電価格情報を取得してもよい。
【００３８】
図５に戻り、放電余力情報取得部１２は、蓄電池から負荷４６に供給可能な電力量を示す放電余力情報を取得する。ここでの蓄電池は、蓄電池システム４０が有する蓄電池である。以下で説明する放電スケジュール生成部１３は、この放電余力情報で示される量の電力を計画的に放電するための放電スケジュールを作成することとなる。
【００３９】
蓄電池は、例えば、夜間に第１のレベル（例：ＳＯＣ（State Of Charge）が１００％）まで充電され、昼間に負荷４６の稼働状況に応じた量の電力が使用され、その後再び、夜間に第１のレベル（例：ＳＯＣが１００％）まで充電されるという充放電のサイクルで運転される場合がある。この場合、放電余力情報取得部１２は、放電余力情報として、蓄電池に第１のレベル（例：ＳＯＣが１００％）まで電力を充電した時点における電力量を示す情報を取得してもよい。例えば、蓄電池管理装置１０は、予め、蓄電池システム４０の特性として、第１のレベルまで電力を充電した時点における電力量を示す情報を保持しておいてもよい。そして、放電余力情報取得部１２はこの情報を取得してもよい。
【００４０】
その他の例として、放電余力情報取得部１２は、所定のタイミング（例：毎日５時）で蓄電池システム４０に放電余力情報を要求してもよい。蓄電池システム４０は、当該要求を取得すると、例えば、その時点における自システムの蓄電池の充電電力量を示す情報（例：電力量そのものの値、電圧値及び電流値等）や、第１のレベル（例：ＳＯＣが１００％）まで充電した時点における電力量を示す情報などを、放電余力情報として放電余力情報取得部１２に返信する。
【００４１】
放電スケジュール生成部１３は、買電価格情報と放電余力情報とを利用して、単位時間（設計的事項。例：１５分、３０分、１時間等）毎に区分けされた複数の放電時間帯毎に、蓄電池から放電される電力（＝電流×電圧）の上限値、又は、蓄電池から放電される電力量（＝電流×電圧×時間）の上限値（以下、これらをあわせて単に「上限値」という場合がある）を決定した放電スケジュールを生成する。電力量の上限値の時間は、上記放電時間帯の単位時間であってもよいし、１時間、１分、１秒などであってもよい。当該上限値の決定により、各放電時間帯において放電され得る電力量の最大値（最大電力量）が決定されることとなる。電力の上限値が決定された場合、放電時間帯の単位時間の間、上限値の電力で放電し続けた場合に放電される電力量が、最大電力量となる。電力量の上限値が決定された場合、当該上限値が最大電力量となる。
【００４２】
放電スケジュール生成部１３は、買電価格が相対的に高い放電時間帯に、より大きい上限値を決定することができる。例えば、第１の放電時間帯と、第１の放電時間帯よりも買電価格が低い第２の放電時間帯がある場合、放電スケジュール生成部１３は、第２の放電時間帯よりも第１の放電時間帯により大きい上限値を決定することができる。なお、放電スケジュール生成部１３は、第１の放電時間帯と第２の放電時間帯に同じ上限値を決定することもできる。例えば、放電スケジュール生成部１３は、買電価格が相対的に高い放電時間帯に０より大きい上限値を決定し、買電価格が相対的に低い放電時間帯に０を上限値として決定してもよい。
【００４３】
なお、放電スケジュール生成部１３は、各放電時間帯に決定した上限値に基づいて決定される最大電力量の合計が、放電余力情報に基づいて決定される所定の電力量（以下、「放電許可電力量」）を超えないように放電スケジュールを生成してもよい。放電許可電力量は、放電余力情報で示される電力量そのものであってもよいし、または、放電余力情報で示される電力量の中の所定量（例：８０％、７０％等）であってもよい。後者のようにすれば、一定量（例：２０％、３０％等）の電力を、例えば非常用として、常時蓄電池に蓄電しておくことができる放電スケジュールを生成することができる。
【００４４】
ここで、放電スケジュール生成部１３が生成する放電スケジュールの具体例について説明する。
【００４５】
例えば、価格情報取得部１１が、図６に示す買電価格情報を取得したとする。そして、当該買電価格情報は、１３時〜１７時までが最も買電価格が高く、その次が１１時〜１３時までであり、その次が１７時〜２１時までであり、残りの時間帯は買電価格がさらに低いとする。このような場合、放電スケジュール生成部１３は、例えば、買電価格が相対的に高い放電時間帯に優先的に０より大きい上限値を決定し、買電価格が相対的に低い放電時間帯には上限値として０を決定して、図７に示すような放電スケジュールを生成することができる。
【００４６】
図７に示す放電スケジュールは、横軸に時刻をとり、縦軸に蓄電池からの放電を許可する上限値を示す放電電力量をとっている。なお、放電電力量の代わりに、放電電力をとることもできる（図１０、１１、１３、１５（２）、１７（２）、１９（２）、２０（２）、２１も同様）。図示する例の場合、Ｍ時〜Ｍ＋１時（Ｍは０から２３までの整数）を１つの放電時間帯としている。そして、１１時〜２１時の時間帯に０より大きい上限値を決定し、その他の時間帯に０を上限値として決定している。なお、各放電時間帯に決定する０より大きい上限値の具体的な値は、本実施形態においては設計的事項であるが、例えば、各放電時間帯に決定した上限値に基づいて決定される最大電力量の合計が放電余力情報に基づいて決定される放電許可電力量を超えないように決定されてもよい。
【００４７】
ここで、図８のフローチャートを用いて、本実施形態の蓄電池管理装置１０の処理の流れの一例を説明する。
【００４８】
Ｓ１０では、価格情報取得部１１は、電力系統から供給される電力の時間帯毎の買電価格を示す買電価格情報を取得する。Ｓ１１では、放電余力情報取得部１２は、蓄電池から負荷に供給可能な電力量を示す放電余力情報を取得する。なお、Ｓ１１及びＳ１２は順番が逆であってもよい。
【００４９】
Ｓ１３では、放電スケジュール生成部１３は、買電価格情報と放電余力情報とを利用して、単位時間毎に区分けされた複数の放電時間帯各々に、蓄電池から放電される電力の上限値、又は、電力量の上限値を決定した放電スケジュールを生成する。
【００５０】
生成された放電スケジュールは、蓄電池管理装置１０から蓄電池システム４０に送信される。放電スケジュールを取得した蓄電池システム４０は、放電スケジュールに従い蓄電池の放電を制御する。
【００５１】
例えば、上限値が０である放電時間帯において、負荷４６に電力を供給する必要がある場合、蓄電池システム４０は電力系統４５から電力の供給を受けて、負荷４６に供給する。一方、上限値が０より大である放電時間帯において、負荷４６に電力を供給する必要がある場合、蓄電池システム４０は、蓄電池（電池パック４４）に蓄電されている電力を負荷４６に供給する。例えば、放電スケジュールで定められている当該放電時間帯の電力の上限値を超えない範囲で蓄電池（電池パック４４）に蓄電されている電力を負荷４６に供給し、不足分は、電力系統４５から電力の供給を受けて、負荷４６に供給する。その他の例として、放電スケジュールで定められている当該放電時間帯の電力量の上限値に達するまでは電力系統４５からの電力供給を受けず、蓄電池（電池パック４４）に蓄電されている電力を負荷４６に供給する。そして、蓄電池（電池パック４４）から放電された電力量が上限値に達すると、以降、その放電時間帯においては蓄電池（電池パック４４）から放電せず、電力系統４５から電力の供給を受けて、負荷４６に供給する。この場合、各放電時間帯において蓄電池（電池パック４４）から負荷４６に供給された電力量の累積値を監視しておく。
【００５２】
以上説明した本実施形態によれば、蓄電池からの放電スケジュールを制御する新たな技術が実現される。
【００５３】
すなわち、本実施形態によれば、蓄電池からの放電電力又は放電電力量の上限値を放電時間帯毎に規定した放電スケジュールを生成し、当該放電スケジュールに従い、蓄電池システム４０に放電させることができる。このような本実施形態によれば、蓄電池に充電されている電力を計画的に放電させることができる。
【００５４】
また、本実施形態によれば、買電価格が相対的に高い放電時間帯により大きい上限値を決定した放電スケジュールを生成し、当該放電スケジュールに従い、蓄電池システム４０に放電させることができる。このような本実施形態によれば、電力系統４５から電力の供給を受ける機会は、買電価格が相対的に高い放電時間帯の方が、買電価格が相対的に低い放電時間帯よりも小さくなる。結果、買電価格が高い放電時間帯に電力供給者から電力を購入する不都合を軽減することができる。
【００５５】
また、本実施形態によれば、各放電時間帯に決定した上限値に基づいて決定される最大電力量の合計が、放電余力情報に基づいて決定される所定の電力量（放電許可電力量）を超えないように放電スケジュールを生成し、当該放電スケジュールに従い、蓄電池システム４０に放電させることができる。このような本実施形態によれば、０より大きい上限値を決定した放電時間帯においては、必ず、上限値に基づいて決定される最大電力量分の電力が蓄電池に蓄えられており、当該放電時間帯に蓄電池の電力余力がないという事態が生じることはない。すなわち、０より大きい上限値を決定した放電時間帯においては、必ず、蓄電池から負荷４６に上限値に基づいて決定される最大電力量をマックスとして電力供給可能である。結果、買電価格が高い放電時間帯に電力供給者から電力を購入する不都合を確実に軽減することができる。なお、放電時間帯において蓄電池から負荷に供給される電力の上限値を超えるような使用がなされようとした場合にはアラームを発するようにしてもよい。
【００５６】
また、本実施形態によれば、上記放電許可電力量を、放電余力情報で示される電力量の中の所定量（例：８０％、７０％等）として放電スケジュールを生成し、当該放電スケジュールに従い、蓄電池システム４０に放電させることができる。このような本実施形態によれば、常に一定量（例：２０％、３０％等）の電力を、例えば非常用として、蓄電池に蓄電しておくことができる。
【００５７】
＜第２の実施形態＞
本実施形態の蓄電池管理装置１０の機能ブロック図の一例は、第１の実施形態同様、図５で示される。価格情報取得部１１及び放電余力情報取得部１２の構成は、第１の実施形態と同様である。
【００５８】
放電スケジュール生成部１３は、買電価格が高い放電時間帯の優先順位が高くなるように複数の放電時間帯に優先順位を付し、第１の放電時間帯の上限値が、第１の放電時間帯より優先順位が低い第２の放電時間帯の上限値以上となるように、放電スケジュールを生成する点で、第１の実施形態と異なる。以下、この優先順位を「放電優先順位」という。放電スケジュール生成部１３のその他の構成は、第１の実施形態と同様である。
【００５９】
以下、（１）放電スケジュール生成部１３が複数の放電時間帯に放電優先順位を付す処理、及び、（２）放電スケジュール生成部１３が放電優先順位を利用して複数の放電時間帯に上限値を決定する処理について説明する。
【００６０】
まず、図９を用いて、（１）放電スケジュール生成部１３が複数の放電時間帯に放電優先順位を付す処理について説明する。図９は、横軸に時刻をとり、縦軸に買電価格をとって、各時間帯における買電価格の大小を示す。各時間帯における買電価格の大小は、価格情報取得部１１が取得する買電価格情報に基づいたものである。なお、図示する例の場合、Ｍ時〜Ｍ＋１時を１つの放電時間帯としている。
【００６１】
放電スケジュール生成部１３は、買電価格情報に基づいて各時間帯の買電価格を特定した後、まず、電力系統４５から電力供給を受けて蓄電池に電力を充電する充電可能時間帯を決定する。充電可能時間帯の長さをどのような長さとするかは設計的事項である。例えば、放電スケジュール生成部１３は、買電価格が安い時間帯から順に選択された所定の長さの時間帯を充電可能時間帯とすることができる。このようにすれば、買電価格が安い時間帯に、蓄電池に電力を充電することができる。図９に示す例の場合、放電スケジュール生成部１３は、買電価格が安い方から選択された所定長さ（７時間）の時間帯である０時〜７時を充電可能時間帯としている。このような放電スケジュールを生成された場合、蓄電池システム４０は当該充電可能時間帯に電力系統４５から電力供給を受けて蓄電池に電力を充電することとなる。
【００６２】
放電スケジュール生成部１３は、充電可能時間帯を決定した後、充電可能時間帯を除く時間帯を複数の放電時間帯に区分けし、放電優先順位を付す。具体的には、放電スケジュール生成部１３は、充電可能時間帯を除く時間帯を予め定められた単位時間ごとの複数の放電時間帯に区分けし、この複数の放電時間帯に、買電価格が高い放電時間帯の放電優先順位が高くなるように放電優先順位を付す。なお、買電価格が同じ放電時間帯にどのように放電優先順位を付すかは様々な方法が適用できる。例えば、前の時刻の放電時間帯の放電優先順位を高くしてもよい。また、ある放電時間帯に買電価格が異なる複数の時間帯が含まれる場合、安い方の買電価格、高い方の買電価格、又は、平均値等を、その放電時間帯の買電価格として優先順位を付してもよい。このような処理によれば、複数の放電時間帯に対して図９に示すような放電優先順位が付される。なお、図示する放電優先順位は、小さい数値ほど優先順位が高い（以降のすべての実施形態において同様）。
【００６３】
次に、図１０を用いて、（２）放電スケジュール生成部１３が放電優先順位を利用して複数の放電時間帯に上限値を決定する処理について説明する。
【００６４】
放電スケジュール生成部１３は、放電時間帯に決定した上限値に基づいて決定される最大電力量の合計が、放電余力情報に基づいて決定される放電許可電力量を超えないように、放電優先順位が高い放電時間帯から順に０より大きい上限値を決定する。そして、放電時間帯に決定した上限値に基づいて決定される最大電力量の合計が放電許可電力量を超えると、残りの放電時間帯に対して０を上限値として決定する。
【００６５】
０より大きい上限値は、例えば、蓄電池がその性能上、安全を確保して放電可能な最大の電力、又は、単位時間あたりに放電可能な最大の電力量（以下、「放電最大値」という）であってもよい。蓄電池管理装置１０は、予め、蓄電池システム４０の特性として、蓄電池の放電最大値を示す情報を保持しておいてもよい。放電最大値は、例えば、蓄電池システム４０の製造者が決定する。そして、放電スケジュール生成部１３はこの情報を利用して、放電スケジュールを生成してもよい。かかる場合、放電スケジュール生成部１３は、放電時間帯各々に対して、放電最大値、及び、放電最大値より小さい所定の値（例：０）のいずれかを上限値とし決定してもよい。図１０に示す例の場合、放電スケジュール生成部１３は、放電時間帯各々に対して、放電最大値、及び、０のいずれかを上限値として決定している。
【００６６】
放電許可電力量が放電最大値で割り切れない場合、放電優先順位が高い放電時間帯から順に放電最大値（上限値）を決定していくと、半端が余ることとなる。放電スケジュール生成部１３は、この半端分をその次の放電優先順位の放電優先時間帯に決定してもよいし、または、この半端分は無視してもよい。
【００６７】
なお、０より大きい上限値は、買電価格情報に基づいて決定されてもよい。例えば、放電スケジュール生成部１３は、放電優先順位が高い方から所定数（設計的事項）の放電時間帯を、０より大きい上限値を決定する放電時間帯と定めてもよい。そして、０より大きい上限値を決定すると定められた放電時間帯の買電価格に応じて、放電許可電力量を按分してもよい。そして、０より大きい上限値を決定しないと定められた放電時間帯に対しては、０を上限値として決定してもよい。かかる場合、図１１に示すように、０より大きい上限値を決定された放電時間帯の上限値は、各放電時間帯の買電価格に応じた値となる。
【００６８】
図１０及び図１１いずれの場合においても、第１の放電時間帯の上限値が、第１の放電時間帯より優先順位が低い第２の放電時間帯の上限値以上となっている。
【００６９】
以上説明した本実施形態によれば、第１の実施形態と同様の作用効果を実現することができる。
【００７０】
また、本実施形態よれば、複数の放電時間帯に放電優先順位を付し、放電優先順位に基づいて放電スケジュールを生成することができる。このような本実施形態によれば、効率的に、放電スケジュールを生成することができる。
【００７１】
また、本実施形態によれば、第１の放電時間帯の上限値が、第１の放電時間帯より優先順位が低い第２の放電時間帯の上限値以上となるように、放電スケジュールを生成することができる。このような本実施形態によれば、電力系統４５から電力の供給を受ける機会は、放電優先順位が相対的に高い（買電価格が相対的に高い）放電時間帯の方が、放電優先順位が相対的に低い（買電価格が相対的に低い）放電時間帯よりも小さくなる。結果、買電価格が高い放電時間帯に電力供給者から電力を購入する不都合を軽減することができる。
【００７２】
また、本実施形態よれば、上限値として、蓄電池が放電可能な最大の電力、又は、単位時間あたりに放電可能な最大の電力量（放電最大値）を決定した放電スケジュールを生成することができる。このような本実施形態によれば、買電価格が相対的に高い放電時間帯においては、蓄電池の性能上可能な限り大きい電力量を放電することが可能となる。結果、買電価格が相対的に高い放電時間帯に電力供給者から電力を購入する不都合をより軽減することができる。
【００７３】
＜第３の実施形態＞
本実施形態の蓄電池管理装置１０は、放電許可電力量分の電力を完全に使い切ることかできるようにするための放電スケジュールを生成する。
【００７４】
放電スケジュールは蓄電池からの放電の上限値を定めたスケジュールであり、当該スケジュールに従った実際の放電量はこれ以下となる。ある放電時間帯において負荷４６に供給する電力量が放電スケジュールで定められた上限値より少ない場合、その放電時間帯においては、蓄電池の電力は上限値いっぱいまで放電されない。
【００７５】
放電時間帯に決定した上限値に基づいて決定される最大電力量の合計が放電許可電力量を超えないように放電スケジュールを生成した場合において、最大電力量まで放電されない放電時間帯が発生した場合、当該放電スケジュールに従った放電処理の終了時点（例：０時から２４時までの放電スケジュールの場合、２４時時点）において放電許可電力量は使い切られず、いくらかの電力が余る事態が生じうる。
【００７６】
かかる場合、買電価格が安い時間帯に蓄電池に充電した電力は使い切られず余っているのに、上限値として０を割り当てられた放電時間帯（充電可能時間帯よりも買電価格が高い時間帯）において、電力系統４５から電力の供給を受けて、電力を購入するという不都合が発生する。
【００７７】
このような不都合を解消するため、本実施形態の蓄電池管理装置１０は、放電許可電力量分の電力を使い切ることかできるようにするための放電スケジュールを生成する。
【００７８】
ところで、放電許可電力量分の電力を使い切るようにするためには、放電時間帯に決定した上限値に基づいて決定される最大電力量の合計が、放電許可電力量を大きく超えるように放電スケジュールを生成することで実現される。例えば、すべての放電時間帯に０より十分に大きい値を上限値として決定することで実現できる。
【００７９】
しかし、電力供給者へ支払う電力料金を抑えるためには、買電価格が相対的に高い放電時間帯に蓄電池から多く放電し、買電価格が相対的に低い放電時間帯に蓄電池から放電する量を少なくする必要がある。多数の放電時間帯に０より十分に大きい値を上限値として決定すると、買電価格が相対的に低い放電時間帯において蓄電池の電力を使いきり、買電価格が相対的に高い放電時間帯に蓄電池に電力が残っていないという不都合が生じうる。
【００８０】
そこで、本実施形態の蓄電池管理装置１０は、買電価格が相対的に高い放電時間帯に放電でき、かつ、放電許可電力量分の電力を完全に使い切ることかできるような放電スケジュールを生成する。
【００８１】
本実施形態の蓄電池管理装置１０の機能ブロック図の一例は、第１の実施形態同様、図５で示される。価格情報取得部１１及び放電余力情報取得部１２の構成は、第１の実施形態と同様である。以下、放電スケジュール生成部１３の構成について説明する。なお、第１及び第２の実施形態と異なる部分のみ説明し、共通する部分の説明は適宜省略する。
【００８２】
放電スケジュール生成部１３は、複数の放電時間帯を、買電価格が相対的に高い放電時間帯をまとめた第１のグループと、買電価格が相対的に低い放電時間帯をまとめた第２のグループとに分ける。第１のグループに含まれる放電時間帯は、電力供給者へ支払う電力料金を抑えるため、必ず蓄電池から放電させたい時間帯である。一方、第２のグループに含まれる放電時間帯は、充電可能時間帯よりも買電価格が高いが、第１のグループの放電時間帯よりも買電価格が安い時間帯であり、第１のグループの放電時間帯よりも蓄電池の放電の優先度は低いが、蓄電池の電力に余力があるなら放電させたほうがよい時間帯である。なお、放電時間帯は、第２の実施形態で説明した充電可能時間帯を除く時間帯である。
【００８３】
例えば、放電スケジュール生成部１３は、予め保持している図１２に示すような基準に従い、複数の放電時間帯を、買電価格が相対的に高い第１のグループと、買電価格が相対的に低い第２のグループとに分けてもよい。
【００８４】
グループ分け後、放電スケジュール生成部１３は、第１のグループに含まれる放電時間帯に決定した上限値に基づいて決定される最大電力量（各放電時間帯において放電され得る電力量の最大値）の合計である第１の合計と、第２のグループに含まれる放電時間帯であって、第１のグループに含まれる少なくとも１つの放電時間帯よりも時間的に前の放電時間帯に決定した上限値に基づいて決定される最大電力量の合計である第２の合計との和が、放電許可電力量を超えないように放電スケジュールを生成する。
【００８５】
また、放電スケジュール生成部１３は、第２のグループに含まれる放電時間帯であって、第１のグループに含まれるすべての放電時間帯よりも時間的に後の放電時間帯に決定した上限値に基づいて決定される最大電力量の合計である第３の合計と、上記第１の合計と、上記第２の合計との和が、放電許可電力量以上となるように放電スケジュールを生成する。
【００８６】
ここで、図１３を用いて一例を説明する。図１３に示す例の場合、上限値は、蓄電池の放電最大値、または、０である。上限値が電力量で示されている場合、この上限値が最大電力量となる。一方、上限値が電力で示されている場合、放電時間帯の単位時間の間、上限値の電力で放電し続けた場合に放電される電力量が、最大電力量となる。１３時〜１７時に含まれる放電時間帯が第１のグループであり、その他の放電時間帯が第２のグループである。また、各放電時間帯の買電価格に従い、各放電時間帯に図示するような放電優先順位が付されている。図１３に示す放電優先順位は、図９に示す放電優先順位と同じである。
【００８７】
まず、放電スケジュール生成部１３は、放電優先順位に従い、第１のグループに含まれる４つの放電時間帯に、蓄電池の放電最大値を上限値として決定する。ここで、第１の合計は、上述のように定義される最大電力量の合計であり、図１３に示す例の場合、最大電力量を４倍した値（１３時〜１４時、１４時〜１５時、１５時〜１６時、１６時〜１７時の最大電力量の和）となる。
【００８８】
その後、放電スケジュール生成部１３は、放電優先順位に従い、第２のグループに含まれる放電時間帯に上限値を決定する。まず、放電優先順位が次に高い１１時〜１２時を処理対象とする。この放電時間帯は、第１のグループに含まれる少なくとも１つの放電時間帯よりも時間的に前の放電時間帯である。このような放電時間帯に決定された上限値に基づいて決定される最大電力量の合計が、第２の合計となる。
【００８９】
上述の通り、放電スケジュール生成部１３は、第１の合計と第２の合計との和が、放電許可電力量を超えないように放電スケジュールを生成する。そこで、放電スケジュール生成部１３は、１１時〜１２時の放電時間帯に、蓄電池の放電最大値を上限値として決定した場合、第１の合計と第２の合計との和が放電許可電力量を超えるか否か判断する。超えない場合、放電スケジュール生成部１３は、１１時〜１２時の放電時間帯に、蓄電池の放電最大値を上限値として決定する。一方、超える場合、放電スケジュール生成部１３は、１１時〜１２時の放電時間帯に、０を上限値として決定する。図１３に示す例の場合、１１時〜１２時の放電時間帯には、蓄電池の放電最大値が上限値として決定されている。
【００９０】
その後、放電スケジュール生成部１３は、放電優先順位が次に高い１２時〜１３時を処理対象とする。この場合も上記と同様に、放電スケジュール生成部１３は、１２時〜１３時の放電時間帯に、蓄電池の放電最大値を上限値として決定した場合、第１の合計と第２の合計との和が放電許可電力量を超えるか否か判断する。そして、判断結果に応じて、１２時〜１３時の時間帯に、０、又は、蓄電池の放電最大値を上限値として決定する。図１３に示す例の場合、１２時〜１３時の放電時間帯には、０が上限値として決定されている。
【００９１】
その後、放電スケジュール生成部１３は、放電優先順位が次に高い１７時〜１８時を処理対象とする。この放電時間帯は、第１のグループに含まれるすべての放電時間帯よりも時間的に後の放電時間帯である。このような放電時間帯に決定された上限値に基づいて決定される最大電力量の合計が、第３の合計となる。
【００９２】
上述の通り、放電スケジュール生成部１３は、第１の合計と第２の合計と第３の合計との和が、放電余力情報に基づいて決定される所定の電力量以上となるように放電スケジュールを生成する。例えば、放電スケジュール生成部１３は、第２のグループに含まれる放電時間帯のうち、第１のグループに含まれるすべての放電時間帯よりも時間的に後の放電時間帯のすべてに、蓄電池の放電最大値を上限値として決定する。
【００９３】
例えばこのような処理を継続して、放電スケジュール生成部１３は図１３に示すような放電スケジュールを生成する。
【００９４】
以上説明した本実施形態によれば、第１及び第２の実施形態と同様の作用効果を実現することができる。
【００９５】
また、本実施形態によれば、第１の合計と第２の合計との和が、放電許可電力量を超えないように放電スケジュールを生成することができる。このような本実施形態によれば、第１のグループに含まれる放電時間帯の前に蓄電池の電力が使い切られ、当該放電時間帯において蓄電池から電力が放電できないという不都合を抑制することができる。
【００９６】
また、本実施形態によれば、第１の合計と第２の合計と第３の合計との和が、放電許可電力量以上、好ましくは放電許可電力量を十分に超えるように放電スケジュールを生成することができる。例えば、第１のグループに含まれるすべての放電時間帯よりも時間的に後の放電時間帯のすべてに、蓄電池の放電最大値を上限値として決定することができる。このような本実施形態によれば、放電許可電力量分の電力を、放電スケジュールに従った放電処理の終了時点（例：０時から２４時までの放電スケジュールの場合、２４時時点）までに使い切ることが可能となる。
【００９７】
＜第４の実施形態＞
本実施形態は、負荷４６の電力需要予測を示す需要予測情報をさらに利用して、放電スケジュールを生成する点で、第１乃至第３の実施形態と異なる。
【００９８】
図１４に、本実施形態の蓄電池管理装置１０の機能ブロック図の一例を示す。図示するように、蓄電池管理装置１０は、価格情報取得部１１と、放電余力情報取得部１２と、放電スケジュール生成部１３と、需要予測情報取得部１４とを有する。価格情報取得部１１及び放電余力情報取得部１２の構成は第１乃至第３の実施形態と同様である。以下、第１乃至第３の実施形態と異なる点を説明する。
【００９９】
需要予測情報取得部１４は、負荷４６の電力需要予測を示す需要予測情報を取得する。需要予測情報は、時間帯毎の電力需要を示す情報である。需要予測情報は、例えば、過去の実績に基づいて決定された情報であってもよい。例えば、蓄電池システム４０は、ＰＣＳ４１に接続された負荷４６に供給した電力量の実績を示す情報を、蓄電池管理装置１０に送信してもよい。蓄電池管理装置１０は、このような実績を蓄積していき、所定のアルゴリズムで、需要予測情報を生成してもよい。本実施形態において需要予測情報をどのように生成するかは、設計的事項である。
【０１００】
放電スケジュール生成部１３は、需要予測情報取得部１４が取得した需要予測情報をさらに利用して、放電スケジュールを生成する。具体的には、放電スケジュール生成部１３は、第１の放電時間帯における需要予測情報を利用して第１の放電時間帯の上限値を決定する。
【０１０１】
例えば、放電スケジュール生成部１３は、第１の放電時間帯における電力需要予測（Ｗｈ）の値以上の所定の電力量を決定し、その値を電力量の上限値とすることができる。または、決定した所定の電力量に基づいて、電力の上限値を決定することができる。なお、電力需要予測（Ｗｈ）の値より大きすぎる値を上記所定の電力量として決定するのでなく、電力需要予測の誤差をある程度十分に吸収できる程度に大きい値を上記所定の電力量として決定するのが好ましい。例えば、放電スケジュール生成部１３は、この放電時間帯の電力需要予測（Ｗｈ）に予め定められた１以上２より小さい係数を掛けた値、または、大き過ぎない所定の電力量を加えた値を、上記所定の電力量として決定してもよい。
【０１０２】
なお、電力需要予測が蓄電池の放電最大値を超える場合も考えられる。そこで、放電スケジュール生成部１３は、ｍｉｎ（電力需要予測に基づいて決定した値、放電最大値）を上限値としてもよい。ｍｉｎ（ａ、ｂ）は、ａ及びｂの内、小さい方の値をとる。
【０１０３】
ここで、図１５を用いて一例を説明する。図１５の（１）は、横軸に時刻をとり、縦軸に買電価格をとって、各時間帯における買電価格の大小を棒グラフで示す。また、重ねて、各時間帯における電力需要予測の大小を点線で示している。図示する例の場合、Ｍ時〜Ｍ＋１時を１つの放電時間帯としている。
【０１０４】
図１５の（２）は、横軸に時刻をとり、縦軸に蓄電池からの放電を許可する上限値を示す放電電力量（Ｗｈ）をとっている。また、重ねて、各時間帯における電力需要予測の大小を点線で示している。さらに、各放電時間帯の買電価格に従い決定された放電優先順位が示されている。図１５の（２）に示す放電優先順位は、図９に示す放電優先順位と同じである。
【０１０５】
放電スケジュール生成部１３は、放電優先順位の高い放電時間帯から順に０より大きい上限値を決定し、放電時間帯に決定した上限値に基づいて決定される最大電力量の合計が放電許可電力量を超えないように放電スケジュールを生成する。
【０１０６】
まず、放電スケジュール生成部１３は、放電優先順位が最も高い放電時間帯である１３時〜１４時を処理対象とする。そして、放電スケジュール生成部１３は、この放電時間帯の電力需要予測（Ｗｈ）以上の値を、上限値（電力量）として決定する。例えば、放電スケジュール生成部１３は、この放電時間帯の電力需要予測（Ｗｈ）に予め定められた１以上２より小さい係数を掛けた値、または、大き過ぎない所定の電力量を加えた値を、上限値として決定してもよい。
【０１０７】
その後、放電スケジュール生成部１３は、次に放電優先順位が高い放電時間帯である１４時〜１５時を処理対象とする。そして、放電スケジュール生成部１３は、この放電時間帯の電力需要予測（Ｗｈ）以上の値を上限値候補として決定する。例えば、放電スケジュール生成部１３は、この放電時間帯の電力需要予測（Ｗｈ）に予め定められた１以上の係数を掛けた値、または、所定の電力量を加えた値を上限値候補として決定してもよい。そして、放電スケジュール生成部１３は、決定した上限値候補と、それまでに放電時間帯に決定した上限値との和が、放電許可電力量を超えないか判断する。超えない場合、放電スケジュール生成部１３は、上限値候補を、１４時〜１５時の上限値として決定する。一方、超える場合、放電スケジュール生成部１３は、１４時〜１５時の放電時間帯に上限値として０を決定する。そして、放電スケジュール生成部１３は、当該放電時間帯より放電優先順位が低い放電時間帯すべてに上限値として０を決定する。放電スケジュール生成部１３は、以降、同様にして全ての放電時間帯に上限値を決定することで、図１５（２）に示すような放電スケジュールが得られる。
【０１０８】
なお、ここでは、第１及び第２の実施形態において、電力需要予測に基づき上限値を決定する例を説明したが、第３の実施形態において、電力需要予測に基づき上限値を決定することも可能である。
【０１０９】
本実施形態によれば、第１乃至第３の実施形態と同様の作用効果を実現することができる。
【０１１０】
また、本実施形態によれば、電力需要予測に基づき上限値を決定した放電スケジュールを生成することができるので、無駄に大きい上限値を決定する必要がない。買電価格が高い放電時間帯における電力供給者からの電力購入を抑制するためには、当該放電時間帯に十分に大きい上限値を決定するのが好ましい。しかし、無駄に大きい上限値を決定すると、実際にその放電時間帯に使用された電力量と、その放電時間帯に決定された上限値との差が大きくなり、放電制御の精度が低くなる。例えば、放電時間帯に決定した上限値に基づいて決定される最大電力量の合計が放電許可電力量を超えないように放電スケジュールを生成すると、０より大きい上限値を決定することができる放電時間帯が少なくなり、放電スケジュールに従った放電処理の終了時点（例：０時から２４時までの放電スケジュールの場合、２４時時点）における電力の残存量が大きくなってしまう。
【０１１１】
本実施形態によれば、電力需要予測に基づいて、無駄に大き過ぎることなく、かつ、その放電時間帯において実際に使用される電力量より小さくなることの少ない上限値を決定することができる。結果、放電制御の精度が高くなる。
【０１１２】
＜第５の実施形態＞
本実施形態は、発電装置４７の時間帯毎の発電量予測を示す発電予測情報をさらに利用して、放電スケジュールを生成する点で、第１乃至第４の実施形態と異なる。
【０１１３】
図１６に、本実施形態の蓄電池管理装置１０の機能ブロック図の一例を示す。図示するように、蓄電池管理装置１０は、価格情報取得部１１と、放電余力情報取得部１２と、放電スケジュール生成部１３と、発電予測情報取得部１５とを有する。なお、図示しないが、需要予測情報取得部１４をさらに有してもよい。価格情報取得部１１、放電余力情報取得部１２及び需要予測情報取得部１４の構成は第１乃至第４の実施形態と同様である。以下、第１乃至第４の実施形態と異なる点を説明する。
【０１１４】
発電予測情報取得部１５は、電力系統４５と異なる電力供給源であり、負荷４６又は蓄電池システム４０が有する蓄電池（電池パック４４）に電力を供給する発電装置４７の時間帯毎の発電量予測を示す発電予測情報を取得する。
【０１１５】
本実施形態において、発電量予測を生成する手段は設計的事項である。自然エネルギーを利用して発電する発電装置４７の場合、例えば、天気予報等の情報を利用して、発電量予測が生成されてもよい。
【０１１６】
放電スケジュール生成部１３は、発電予測情報をさらに利用して、放電スケジュールを生成する。
【０１１７】
ここで、図１７を用いて一例を説明する。図１７の（１）は、横軸に時刻をとり、縦軸に買電価格をとって、各時間帯における買電価格の大小を棒グラフで示す。また、重ねて、各時間帯における発電量予測の大小を線で示している。図示する例の場合、Ｍ時〜Ｍ＋１時を１つの放電時間帯としている。
【０１１８】
図１７の（２）は、横軸に時刻をとり、縦軸に蓄電池からの放電を許可する上限値を示す放電電力量（Ｗｈ）をとっている。さらに、各放電時間帯の放電優先順位が示されている。放電優先順位は、以下のルールに従い決定されている。
・ 買電価格が高い放電時間帯から順に高い放電優先順位を付す。
・ 買電価格が同じ放電時間帯には、発電量予測が少ない放電時間帯から順に高い放電優先順位を付す。
・ 買電価格、及び、発電量予測が同じ放電時間帯には、時刻が早い放電時間帯から順に高い放電優先順位を付す。
【０１１９】
放電スケジュール生成部１３は、このようにして決定した放電優先順位に従い、放電時間帯に決定した上限値に基づいて決定される最大電力量の合計が放電許可電力量を超えないように放電スケジュールを生成することで、図１７の（２）のような放電スケジュールを生成できる。なお、図１７の（２）の上限値は放電最大値であるが、上記実施形態で説明したその他の値を上限値とすることもできる。または、放電スケジュール生成部１３は、ｍｉｎ（放電最大値、ｍａｘ（０、電力需要予測−発電量予測）＋α）を上限値としてもよい。ｍａｘ（ａ、ｂ）は、ａ及びｂの内、大きい方の値をとる。
【０１２０】
また、ここでは、放電優先順位を決定した後、放電時間帯に決定した上限値に基づいて決定される最大電力量の合計が放電許可電力量を超えないように放電スケジュールを生成する例を説明したが、放電優先順位を決定した後、第３の実施形態で説明した方法で放電スケジュールを生成することもできる。
【０１２１】
ここで、図１８を用いて他の一例を説明する。図１８の（１）は、横軸に時刻をとり、縦軸に買電価格をとって、各時間帯における買電価格の大小を棒グラフで示す。また、重ねて、各時間帯における発電量予測の大小を線で示している。さらに、発電装置４７が発電した電力を電力供給者に売る価格（売電価格）を線で示している。例えば、価格情報取得部１１が、発電装置４７が発電した電力の売電価格を示す売電価格情報を取得してもよい。図示する例の場合、Ｍ時〜Ｍ＋１時を１つの放電時間帯としている。なお、図１８の（１）に示す例の場合、売電価格は時間帯によらず一定であるが、時間帯毎に異なる値であってもよい（すべての実施形態において同様）。
【０１２２】
放電スケジュール生成部１３は、以下の前提に従い、放電スケジュールを生成する。
・ 売電価格が買電価格以下の時間帯においては、発電装置４７が発電した電力は負荷４６又は蓄電池に供給される。
・ 売電価格が買電価格より高い時間帯においては、発電装置４７が発電した電力が負荷４６及び蓄電池に供給されない。
【０１２３】
売電価格が買電価格以下の場合、発電装置４７で発電した電力を売るのでなく、負荷４６又は蓄電池に供給したほうが得である。一方、売電価格が買電価格より高い場合、発電装置４７が発電した電力を負荷４６又は蓄電池に供給するのでなく、売ったほうが得である。上記前提は、このような事実に基づく。
【０１２４】
なお、上記「売電価格が買電価格より高い時間帯においては、発電装置４７が発電した電力が負荷４６及び蓄電池に供給されない。」という前提事項は、あくまで放電スケジュールを作成するため（各放電時間帯の上限値を決定するため）に仮定した前提事項であり、必ずしも、当該前提通りに電力の運用を行わなければならないというものではない。すなわち、蓄電池システム４０は、当該前提に基づいて作成された放電スケジュールに従い放電する場合に、売電価格が買電価格より高い時間帯において、発電装置４７が発電した電力を負荷４６及び蓄電池に供給してもよい。
【０１２５】
図１８の（２）は、売電価格が買電価格以下の時間帯における発電量予測を示す。すなわち、発電装置４７から負荷４６又は蓄電池に供給される電力量の予測（以下、「電力供給量予測」）を示す。
【０１２６】
例えば、放電スケジュール生成部１３は、図１７を用いて説明した手法において、発電量予測の代わりに電力供給量予測を用い、同様にして放電優先順位を付し、放電スケジュールを生成してもよい。
【０１２７】
ここで、図１９を用いて他の一例を説明する。図１９の（１）は、横軸に時刻をとり、縦軸に買電価格をとって、各時間帯における買電価格の大小を棒グラフで示す。また、重ねて、各時間帯における電力需要予測の大小を点線で示している。さらに、重ねて、各時間帯における電力供給予測の大小を線で示している。図示する例の場合、Ｍ時〜Ｍ＋１時を１つの放電時間帯としている。
【０１２８】
図１９の（２）は、横軸に時刻をとり、縦軸に蓄電池からの放電を許可する上限値を示す放電電力量（Ｗｈ）をとっている。さらに、各放電時間帯の放電優先順位が示されている。放電優先順位は、以下のルールに従い決定されている。
・ 電力供給量予測が電力需要予測以下の放電時間帯から順に高い放電優先順位を付す。
・ 電力供給量予測が電力需要予測以下の放電時間帯が複数ある場合、買電価格が高い放電時間帯から順に高い放電優先順位を付す。
・ 買電価格が同じ放電時間帯には、時刻が早い放電時間帯から順に高い放電優先順位を付す。
【０１２９】
放電スケジュール生成部１３は、このようにして決定した放電優先順位に従い、放電時間帯に決定した上限値の合計が放電許可電力量を超えないように放電スケジュールを生成することで、図１９の（２）のような放電スケジュールを生成できる。なお、図１９の（２）の上限値は放電最大値であるが、ここまでに説明したその他の値を上限値とすることもできる。
【０１３０】
また、ここでは、放電優先順位を決定した後、放電時間帯に決定した上限値に基づいて決定される最大電力量の合計が放電許可電力量を超えないように放電スケジュールを生成する例を説明したが、放電優先順位を決定した後、第３の実施形態で説明した方法で放電スケジュールを生成することもできる。
【０１３１】
また、放電スケジュール生成部１３は、図１９を用いて説明した手法において、電力供給量予測の代わりに発電量予測を用い、同様にして放電優先順位を付し、放電スケジュールを生成することもできる。
【０１３２】
このように、放電スケジュール生成部１３は、発電装置４７から負荷４６又は蓄電池に電力を供給可能な放電時間帯においては、蓄電池から負荷４６の電力供給よりも発電装置４７から負荷４６への電力供給を優先して、放電スケジュールを生成してもよい。蓄電池システム４０は、発電装置４７から負荷４６又は蓄電池に電力を供給可能な放電時間帯においては、蓄電池から負荷４６の電力供給よりも発電装置４７から負荷４６への電力供給を優先して、放電を行う。
【０１３３】
本実施形態によれば、第１乃至第４の実施形態と同様の作用効果を実現することができる。
【０１３４】
また、本実施形態によれば、発電装置４７の発電量予測に基づき放電スケジュールを生成することができるので、発電装置４７の発電量も考慮して適切な放電スケジュールを生成することができる。
【０１３５】
また、本実施形態によれば、買電価格と売電価格との大小関係に基づいて、発電装置４７が発電した電力を売電する時間帯と、蓄電池や負荷４６に供給する時間帯とに区分けし、蓄電池や負荷４６に供給すると決定した時間帯に含まれる放電時間帯においては、発電装置４７が発電した電力を優先的に使用するような放電スケジュールを生成することができる。結果、発電装置４７が発電した電力をも有効に使用することが可能となる。
【０１３６】
＜第６の実施形態＞
本実施形態の蓄電池管理装置１０の機能ブロック図の一例は、第５の実施形態同様、図１６示される。価格情報取得部１１、放電余力情報取得部１２、需要予測情報取得部１４及び発電予測情報取得部１５の構成は、第１乃至第５の実施形態と同様である。以下、第１乃至第５の実施形態と異なる点を説明する。
【０１３７】
放電スケジュール生成部１３は、放電余力情報と、発電予測情報とを利用して、発電装置４７から蓄電池への電力供給に起因した蓄電池の充電量の変化に基づく、蓄電池から負荷４６に供給可能な電力量の時系列な変化を算出する。そして、放電スケジュール生成部１３は、当該変化を考慮して放電スケジュールを生成する。
【０１３８】
ここで、図２０を用いて一例を説明する。図２０の（１）は、横軸に時刻をとり、縦軸に発電余剰電力をとっている。発電余剰電力は、発電予測情報で特定される発電予測から、需要予測情報で特定される電力需要予測を差し引いたときに余る発電量である。電力需要予測のほうが発電予測よりも大きい場合、発電余剰電力は０となる。なお、発電余剰電力は、第５の実施形態で説明した電力供給量予測から、需要予測情報で特定される電力需要予測を差し引いたときに余る発電量であってもよい。
【０１３９】
放電スケジュール生成部１３は、上述のようにした算出した発電余剰電力は、蓄電池に充電されるという前提で、蓄電池の充電量の変化を算出する。
【０１４０】
図２０の（２）は、横軸に時刻をとり、縦軸に蓄電池からの放電を許可する上限値を示す放電電力量（Ｗｈ）をとっている。また、重ねて、各時間帯における電力需要予測から発電量予測を引いた値の大小を点線で示している。さらに、各放電時間帯の買電価格に従い決定された放電優先順位が示されている。図２０の（２）に示す放電優先順位は、図９に示す放電優先順位と同じである。図示する例の場合、Ｍ時〜Ｍ＋１時を１つの放電時間帯としている。
【０１４１】
放電電力量の上限値は、放電優先順位が高い放電時間帯から順に上限値の合計が放電許可電力量を超えないように設定されている。０より大きい上限値は、負荷４６の電力需要予測に基づいて決定されている（第４の実施形態参照）。
【０１４２】
図２０の（３）は、横軸に時刻をとり、縦軸に蓄電池の充電量（Ｗｈ）をとっている。そして、点線で、図２０の（２）の放電スケジュール通りに、各放電時間帯において上限値まで放電した場合における蓄電池の充電量の変化を示している。また、線で、図２０の（２）の放電スケジュール通りに、各放電時間帯において上限値まで放電し、かつ、図２０の（１）に示す発電余剰電力をそのタイミングで蓄電池に充電した場合における蓄電池の充電量の変化を示している。
【０１４３】
放電スケジュール生成部１３は、このような蓄電池の充電量の変化に基づいて、蓄電池から負荷４６に供給可能な電力量（放電許可電力量）の時系列な変化を算出し、当該変化を考慮して放電スケジュールを生成する。例えば、発電余剰電力を充電するタイミング以降の放電時間帯においては、プラスされた発電余剰電力分を放電可能な電力として、放電スケジュールを生成する。そして、蓄電池システム４０は、発電余剰電力が生まれると、蓄電池に充電する。具体的には、図２０（３）に示す余剰電力を充電して放電許可電力量が増える結果、図２０（２）に示す１９〜２０時および２０〜２１時の時間帯（放電優先順位が９、１０番目）に０より大きい放電電力量を決定することができる場合がある。さらに決定した放電電力量が放電許可電力量を越えなければ図２０（２）に示す８〜９時の時間帯（放電優先順位が１２番目）に０より大きい放電電力量を決定することが可能である。
【０１４４】
本実施形態によれば、第１乃至第５の実施形態と同様の作用効果を実現することができる。
【０１４５】
また、本実施形態によれば、発電装置４７が発電した電力のうち、売電されず、かつ、負荷４６に供給されなかった発電余剰電力を蓄電池に充電するという前提に基づき放電スケジュールを生成することができるので、発電装置４７の発電量及び負荷４６の需要予測を考慮して適切な放電スケジュールを生成することができる。
【０１４６】
また、本実施形態によれば、発電余剰電力を放電可能な電力として、例えば発電余剰電力を使い切るように放電スケジュールを生成することができる。結果、発電装置４７が発電した電力を有効に使用することが可能となる。
【０１４７】
＜第７の実施形態＞
本実施形態の蓄電池管理装置１０の機能ブロック図の一例は、第１乃至第６の実施形態同様、図５、１４及び１６で示される。価格情報取得部１１、需要予測情報取得部１４及び発電予測情報取得部１５の構成は、第１乃至第６の実施形態と同様である。以下、第１乃至第６の実施形態と異なる点を説明する。
【０１４８】
放電余力情報取得部１２は、所定のタイミングで、そのタイミングにおいて蓄電池から負荷４６に供給可能な電力量を示す更新放電余力情報を取得する。
【０１４９】
放電余力情報取得部１２は、放電スケジュールに従い蓄電池システム４０が放電処理を行っている間の所定のタイミングで、蓄電池システム４０から更新放電余力情報を取得する。所定のタイミングは、例えば、１０時、１２時、１５時など、予め定められた所定の時刻であってもよい。または、所定のタイミングは、単一の放電時間帯を終了した直後のタイミングであってもよい。または、所定のタイミングは、発電装置４７から蓄電池に発電電力を供給したタイミングであってもよい。
【０１５０】
放電スケジュール生成部１３は、更新放電余力情報を利用して、所定のタイミングより後の放電スケジュールを更新する。具体的には、放電スケジュール生成部１３は、上記実施形態で説明した放電スケジュールの生成方法において、放電余力情報に代えて更新放電余力情報を利用して、放電スケジュールを新たに生成し直す。
【０１５１】
本実施形態によれば、第１乃至第６の実施形態と同様の作用効果を実現することができる。
【０１５２】
また、本実施形態によれば、放電スケジュールに従い放電処理を行っている最中の任意のタイミングにおいて、その時点における蓄電池から負荷４６に供給可能な実際の電力量を把握し、把握した値に基づいて放電スケジュールを生成することができる。
【０１５３】
放電スケジュールは蓄電池からの放電の上限値を定めたスケジュールであり、当該スケジュールに従った実際の放電量はこれ以下となる。負荷４６に供給する電力量が放電スケジュールで定められた上限値より少ない場合、その放電時間帯においては、上限値に基づいて決定される最大電力量まで放電されない。また、発電余剰電力を蓄電池に充電することで、蓄電池の充電量は変化する。さらに、発電装置４７が自然エネルギーを利用して発電する装置である場合、発電量を正確に予測するのは困難であり、大きく外れる場合もありえる。
【０１５４】
例えばこれらの要因のため、当初作成した放電スケジュールのまま放電処理を行うと、放電スケジュールに従った放電処理の終了時点（例：０時から２４時までの放電スケジュールの場合、２４時時点）において蓄電池の電力が残存してしまう不都合が発生しうる。また、発電装置４７の発電量が予測より少なかった場合、蓄電池の電力が予測より早くなくなってしまい、買電価格が相対的に高い放電時間帯に蓄電池から放電できないという不都合が発生しうる。
【０１５５】
本実施形態によれば、放電スケジュールに従い放電処理を行っている最中の任意のタイミングにおいて、その時点における蓄電池から負荷４６に供給可能な実際の電力量を把握し、把握した値に基づいて放電スケジュールを生成することができるので、上述のような不都合の発生を軽減することができる。
【０１５６】
＜第８の実施形態＞
本実施形態の蓄電池管理装置１０の機能ブロック図の一例は、第１乃至第７の実施形態同様、図５、１４及び１６で示される。放電余力情報取得部１２、需要予測情報取得部１４及び発電予測情報取得部１５の構成は、第１乃至第７の実施形態と同様である。以下、第１乃至第７の実施形態と異なる点を説明する。
【０１５７】
価格情報取得部１１は、電力系統４５から供給される電力量に応じた時間帯毎の特典を示す特典情報をさらに取得する。特典情報は、例えば、第１の時間帯における電力系統４５から供給される電力量が所定値より少ない場合に所定の特典が得られることを示すものであってもよい。
【０１５８】
放電スケジュール生成部１３は、特典情報をさらに利用して、放電スケジュールを生成する。例えば、放電スケジュール生成部１３は、上記第１の時間帯に含まれる放電時間帯に、他の放電時間帯より大きい上限値を割り当ててもよい。または、放電スケジュール生成部１３は、上記第１の時間帯に含まれる放電時間帯に、他の放電時間帯よりも高い放電優先順位を付し、放電スケジュールを生成してもよい。
【０１５９】
ここで、図２１を用いて一例を説明する。図２１は、横軸に時刻をとり、縦軸に蓄電池からの放電を許可する上限値を示す放電電力量（Ｗｈ）をとっている。また、重ねて、電力系統４５から供給される電力量が所定値より少ない場合に所定の特典（報酬）が得られ時間帯を示している。当該特典は、電力系統４５から供給される電力量が所定値より少ない場合、それらの差の大きさに応じた金銭を受領できるものである。
【０１６０】
また、図２１には、各放電時間帯の放電優先順位が示されている。放電優先順位は、以下のルールに従い決定されている。
・ 特典がある放電時間帯から順に高い放電優先順位を付す。
・ 特典がある放電時間帯が複数ある場合、特典が大きい放電時間帯から順に高い放電優先順位を付す。
・ 特典のレベルが等しい放電時間帯が複数ある場合、買電価格が高い放電時間帯から順に高い放電優先順位を付す。
・ 特典がない放電時間帯が複数ある場合、買電価格が高い放電時間帯から順に高い放電優先順位を付す。
・ 買電価格が同じ放電時間帯には、時刻が早い放電時間帯から順に高い放電優先順位を付す。
【０１６１】
放電スケジュール生成部１３は、このようにして決定した放電優先順位に従い、放電時間帯に決定した上限値の合計が放電許可電力量を超えないように放電スケジュールを生成することで、図２１のような放電スケジュールを生成できる。なお、図２１の上限値は放電最大値であるが、上記実施形態で説明したその他の値を上限値とすることもできる。
【０１６２】
また、ここでは、放電優先順位を決定した後、放電時間帯に決定した上限値の合計が放電許可電力量を超えないように放電スケジュールを生成する例を説明したが、放電優先順位を決定した後、第３の実施形態で説明した方法で放電スケジュールを生成することもできる。
【０１６３】
本実施形態によれば、第１乃至第７の実施形態と同様の作用効果を実現することができる。
【０１６４】
また、本実施形態によれば、電力系統４５から供給される電力量に応じた時間帯毎の特典を考慮して、当該特典を受けられるように、放電スケジュールを生成することができる。
【０１６５】
以下、参考形態の例を付記する。
１．  蓄電池から負荷に供給可能な電力量を示す放電余力情報に基づいて、単位時間毎に区分けされた放電時間帯毎に前記蓄電池から放電される電力の上限値、又は、前記蓄電池から放電される電力量の上限値を決定することを特徴とする蓄電池管理装置。
２．  １に記載の蓄電池管理装置において、
前記蓄電池に供給する電力に関する情報と、前記放電余力情報と、に基づいて、前記上限値を決定する蓄電池管理装置。
３．  １又は２に記載の蓄電池管理装置において、
前記電力に関する情報は、時間帯毎の買電価格を示す買電価格情報である蓄電池管理装置。
４．  ３に記載の蓄電池管理装置において、
前記買電価格が相対的に低い前記放電時間帯よりも、前記買電価格が相対的に高い前記放電時間帯の方が大きくなるように前記上限値を決定する蓄電池管理装置。
５．  ３又は４に記載の蓄電池管理装置において、
前記買電価格が高い前記放電時間帯の優先順位が高くなるように前記放電時間帯に優先順位を付し、第１の前記放電時間帯の前記上限値が、前記第１の時間帯より優先順位が低い第２の前記時間帯の前記上限値以上となるように、前記上限値を決定する蓄電池管理装置。
６．  ３から５のいずれかに記載の蓄電池管理装置において、
前記複数の放電時間帯を、前記買電価格が相対的に高い前記放電時間帯をまとめた第１のグループと、前記買電価格が相対的に低い前記放電時間帯をまとめた第２のグループとに分け、
前記電力の前記上限値、又は、前記電力量の前記上限値に基づいて、各放電時間帯に放電され得る最大電力量を特定し、
前記第１のグループに含まれる前記放電時間帯の前記最大電力量の合計である第１の合計と、前記第２のグループに含まれる前記放電時間帯であって、前記第１のグループに含まれる少なくとも１つの前記放電時間帯よりも時間的に前の前記放電時間帯の前記最大電力量の合計である第２の合計との和が、前記放電余力情報に基づいて決定される所定の電力量を超えないように前記放電スケジュールを生成する蓄電池管理装置。
７．  ６に記載の蓄電池管理装置において、
前記第２のグループに含まれる前記放電時間帯であって、前記第１のグループに含まれるすべての前記放電時間帯よりも時間的に後の前記放電時間帯の前記最大電力量の合計である第３の合計と、前記第１の合計と、前記第２の合計との和が、前記放電余力情報に基づいて決定される前記所定の電力量以上となるように前記放電スケジュールを生成する蓄電池管理装置。
８．  ３から７のいずれかに記載の蓄電池管理装置において、
前記放電時間帯各々に対して、前記蓄電池が放電可能な最大の電力、及び、前記最大の電力より小さい所定の値のいずれかを前記上限値として決定する蓄電池管理装置。
９．  ３から７のいずれかに記載の蓄電池管理装置において、
前記放電時間帯各々に対して、前記蓄電池が前記単位時間あたりに放電可能な最大の電力量、及び、前記最大の電力量より小さい所定の値のいずれかを前記上限値として決定する蓄電池管理装置。
１０．  ３から９のいずれかに記載の蓄電池管理装置において、
前記負荷の電力需要予測を示す需要予測情報をさらに利用して、前記上限値を決定する蓄電池管理装置。
１１．  １０に記載の蓄電池管理装置において、
前記放電時間帯における前記電力需要予測の値以上の値を、前記上限値として決定する蓄電池管理装置。
１２．  ３から１１のいずれかに記載の蓄電池管理装置において、
前記負荷又は前記蓄電池に電力を供給する発電装置の時間帯毎の発電量予測を示す発電予測情報をさらに利用して、前記上限値を決定する蓄電池管理装置。
１３．  １２に記載の蓄電池管理装置において、
前記発電装置が発電した電力の売電価格を示す売電価格情報をさらに利用して、前記上限値を決定する蓄電池管理装置。
１４．  １３に記載の蓄電池管理装置において、
前記売電価格が前記買電価格以下の時間帯においては、前記発電装置が発電した電力は前記負荷又は前記蓄電池に供給され、
前記売電価格が前記買電価格より高い時間帯においては、前記発電装置が発電した電力は前記負荷及び前記蓄電池に供給されない、
前提で、前記上限値を決定する蓄電池管理装置。
１５．  １から１３のいずれかに記載の蓄電池管理装置において、
所定のタイミングで、そのタイミングにおいて前記蓄電池から前記負荷に供給可能な電力量を示す更新放電余力情報を取得し、更新放電余力情報をさらに利用して、前記所定のタイミングより後の前記放電時間帯の前記上限値を更新する蓄電池管理装置。
１６．  １から１５のいずれかに記載の蓄電池管理装置において、
電力系統から供給される電力量に応じた時間帯毎の特典を示す特典情報をさらに利用して、前記上限値を決定する蓄電池管理装置。
１７．  １６に記載の蓄電池管理装置において、
前記特典情報は、第１の時間帯における前記電力系統から供給される電力量が所定値より少ない場合に所定の特典が得られることを示すものであり、
前記第１の時間帯に含まれる前記放電時間帯に、他の前記放電時間帯より大きい前記上限値を決定する蓄電池管理装置。
１８．  １から１７のいずれかに記載の蓄電池管理装置において、
前記電力の前記上限値、又は、前記電力量の前記上限値に基づいて特定される各放電時間帯に放電され得る最大電力量は、前記蓄電池から負荷に供給可能な電力量から所定量を差し引いた電力量である蓄電池管理装置。
１９．  １から１８のいずれかに記載の蓄電池管理装置において、
前記蓄電池が前記電力系統から電力を取得して充電する充電可能時間帯を決定し、前記充電可能時間帯を除く時間帯を前記放電時間帯として決定する蓄電池管理装置。
２０．  １から１９のいずれかに記載の蓄電池管理装置が決定した前記上限値に従い、電力を放電する蓄電池。
２１．  コンピュータが、
蓄電池から負荷に供給可能な電力量を示す放電余力情報に基づいて、単位時間毎に区分けされた放電時間帯毎に前記蓄電池から放電される電力の上限値、又は、前記蓄電池から放電される電力量の上限値を決定する蓄電池管理方法。
２１−２．  ２１に記載の蓄電池管理方法において、
前記コンピュータが、前記蓄電池に供給する電力に関する情報と、前記放電余力情報と、に基づいて、前記上限値を決定する蓄電池管理方法。
２１−３．  ２１又は２１−２に記載の蓄電池管理方法において、
前記電力に関する情報は、時間帯毎の買電価格を示す買電価格情報である蓄電池管理方法。
２１−４．  ２１−３に記載の蓄電池管理方法において、
前記コンピュータが、前記買電価格が相対的に低い前記放電時間帯よりも、前記買電価格が相対的に高い前記放電時間帯の方が大きくなるように前記上限値を決定する蓄電池管理方法。
２１−５．  ２１−３又は２１−４に記載の蓄電池管理方法において、
前記コンピュータが、前記買電価格が高い前記放電時間帯の優先順位が高くなるように前記放電時間帯に優先順位を付し、第１の前記放電時間帯の前記上限値が、前記第１の時間帯より優先順位が低い第２の前記時間帯の前記上限値以上となるように、前記上限値を決定する蓄電池管理方法。
２１−６．  ２１−３から２１−５のいずれかに記載の蓄電池管理方法において、
前記コンピュータが、
前記複数の放電時間帯を、前記買電価格が相対的に高い前記放電時間帯をまとめた第１のグループと、前記買電価格が相対的に低い前記放電時間帯をまとめた第２のグループとに分け、
前記電力の前記上限値、又は、前記電力量の前記上限値に基づいて、各放電時間帯に放電され得る最大電力量を特定し、
前記第１のグループに含まれる前記放電時間帯の前記最大電力量の合計である第１の合計と、前記第２のグループに含まれる前記放電時間帯であって、前記第１のグループに含まれる少なくとも１つの前記放電時間帯よりも時間的に前の前記放電時間帯の前記最大電力量の合計である第２の合計との和が、前記放電余力情報に基づいて決定される所定の電力量を超えないように前記放電スケジュールを生成する蓄電池管理方法。
２１−７．  ２１−６に記載の蓄電池管理方法において、
前記コンピュータが、
前記第２のグループに含まれる前記放電時間帯であって、前記第１のグループに含まれるすべての前記放電時間帯よりも時間的に後の前記放電時間帯の前記最大電力量の合計である第３の合計と、前記第１の合計と、前記第２の合計との和が、前記放電余力情報に基づいて決定される前記所定の電力量以上となるように前記放電スケジュールを生成する蓄電池管理方法。
２１−８．  ２１−３から２１−７のいずれかに記載の蓄電池管理方法において、
前記コンピュータが、前記放電時間帯各々に対して、前記蓄電池が放電可能な最大の電力、及び、前記最大の電力より小さい所定の値のいずれかを前記上限値として決定する蓄電池管理方法。
２１−９．  ２１−３から２１−７のいずれかに記載の蓄電池管理方法において、
前記コンピュータが、前記放電時間帯各々に対して、前記蓄電池が前記単位時間あたりに放電可能な最大の電力量、及び、前記最大の電力量より小さい所定の値のいずれかを前記上限値として決定する蓄電池管理方法。
２１−１０．  ２１−３から２１−９のいずれかに記載の蓄電池管理方法において、
前記コンピュータが、前記負荷の電力需要予測を示す需要予測情報をさらに利用して、前記上限値を決定する蓄電池管理方法。
２１−１１．  ２１−１０に記載の蓄電池管理方法において、
前記コンピュータが、前記放電時間帯における前記電力需要予測の値以上の値を、前記上限値として決定する蓄電池管理方法。
２１−１２．  ２１−３から２１−１１のいずれかに記載の蓄電池管理方法において、
前記コンピュータが、前記負荷又は前記蓄電池に電力を供給する発電装置の時間帯毎の発電量予測を示す発電予測情報をさらに利用して、前記上限値を決定する蓄電池管理方法。
２１−１３．  ２１−１２に記載の蓄電池管理方法において、
前記コンピュータが、前記発電装置が発電した電力の売電価格を示す売電価格情報をさらに利用して、前記上限値を決定する蓄電池管理方法。
２１−１４．  ２１−１３に記載の蓄電池管理方法において、
前記コンピュータが、
前記売電価格が前記買電価格以下の時間帯においては、前記発電装置が発電した電力は前記負荷又は前記蓄電池に供給され、
前記売電価格が前記買電価格より高い時間帯においては、前記発電装置が発電した電力は前記負荷及び前記蓄電池に供給されない、
前提で、前記上限値を決定する蓄電池管理方法。
２１−１５．  ２１から２１−１３のいずれかに記載の蓄電池管理方法において、
前記コンピュータが、所定のタイミングで、そのタイミングにおいて前記蓄電池から前記負荷に供給可能な電力量を示す更新放電余力情報を取得し、更新放電余力情報をさらに利用して、前記所定のタイミングより後の前記放電時間帯の前記上限値を更新する蓄電池管理方法。
２１−１６．  ２１から２１−１５のいずれかに記載の蓄電池管理方法において、
前記コンピュータが、電力系統から供給される電力量に応じた時間帯毎の特典を示す特典情報をさらに利用して、前記上限値を決定する蓄電池管理方法。
２１−１７．  ２１−１６に記載の蓄電池管理方法において、
前記特典情報は、第１の時間帯における前記電力系統から供給される電力量が所定値より少ない場合に所定の特典が得られることを示すものであり、
前記コンピュータが、前記第１の時間帯に含まれる前記放電時間帯に、他の前記放電時間帯より大きい前記上限値を決定する蓄電池管理方法。
２１−１８．  ２１から２１−１７のいずれかに記載の蓄電池管理方法において、
前記電力の前記上限値、又は、前記電力量の前記上限値に基づいて特定される各放電時間帯に放電され得る最大電力量は、前記蓄電池から負荷に供給可能な電力量から所定量を差し引いた電力量である蓄電池管理方法。
２１−１９．  ２１から２１−１８のいずれかに記載の蓄電池管理方法において、
前記コンピュータが、前記蓄電池が前記電力系統から電力を取得して充電する充電可能時間帯を決定し、前記充電可能時間帯を除く時間帯を前記放電時間帯として決定する蓄電池管理方法。
２２．  コンピュータに、
蓄電池から負荷に供給可能な電力量を示す放電余力情報に基づいて、単位時間毎に区分けされた放電時間帯毎に前記蓄電池から放電される電力の上限値、又は、前記蓄電池から放電される電力量の上限値を決定する工程を実施させるためのプログラム。
２２−２．  ２２に記載のプログラムにおいて、
前記コンピュータに、前記蓄電池に供給する電力に関する情報と、前記放電余力情報と、に基づいて、前記上限値を決定する工程を実施させるためのプログラム。
２２−３．  ２２又は２２−２に記載のプログラムにおいて、
前記電力に関する情報は、時間帯毎の買電価格を示す買電価格情報であるプログラム。
２２−４．  ２２−３に記載のプログラムにおいて、
前記コンピュータに、前記買電価格が相対的に低い前記放電時間帯よりも、前記買電価格が相対的に高い前記放電時間帯の方が大きくなるように前記上限値を決定する工程を実施させるためのプログラム。
２２−５．  ２２−３又は２２−４に記載のプログラムにおいて、
前記コンピュータに、前記買電価格が高い前記放電時間帯の優先順位が高くなるように前記放電時間帯に優先順位を付し、第１の前記放電時間帯の前記上限値が、前記第１の時間帯より優先順位が低い第２の前記時間帯の前記上限値以上となるように、前記上限値を決定する工程を実施させるためのプログラム。
２２−６．  ２２−３から２２−５のいずれかに記載のプログラムにおいて、
前記コンピュータに、
前記複数の放電時間帯を、前記買電価格が相対的に高い前記放電時間帯をまとめた第１のグループと、前記買電価格が相対的に低い前記放電時間帯をまとめた第２のグループとに分け、
前記電力の前記上限値、又は、前記電力量の前記上限値に基づいて、各放電時間帯に放電され得る最大電力量を特定し、
前記第１のグループに含まれる前記放電時間帯の前記最大電力量の合計である第１の合計と、前記第２のグループに含まれる前記放電時間帯であって、前記第１のグループに含まれる少なくとも１つの前記放電時間帯よりも時間的に前の前記放電時間帯の前記最大電力量の合計である第２の合計との和が、前記放電余力情報に基づいて決定される所定の電力量を超えないように前記放電スケジュールを生成する工程を実施させるためのプログラム。
２２−７．  ２２−６に記載のプログラムにおいて、
前記コンピュータに、前記第２のグループに含まれる前記放電時間帯であって、前記第１のグループに含まれるすべての前記放電時間帯よりも時間的に後の前記放電時間帯の前記最大電力量の合計である第３の合計と、前記第１の合計と、前記第２の合計との和が、前記放電余力情報に基づいて決定される前記所定の電力量以上となるように前記放電スケジュールを生成する工程を実施させるためのプログラム。
２２−８．  ２２−３から２２−７のいずれかに記載のプログラムにおいて、
前記コンピュータに、前記放電時間帯各々に対して、前記蓄電池が放電可能な最大の電力、及び、前記最大の電力より小さい所定の値のいずれかを前記上限値として決定する工程を実施させるためのプログラム。
２２−９．  ２２−３から２２−７のいずれかに記載のプログラムにおいて、
前記コンピュータに、前記放電時間帯各々に対して、前記蓄電池が前記単位時間あたりに放電可能な最大の電力量、及び、前記最大の電力量より小さい所定の値のいずれかを前記上限値として決定する工程を実施させるためのプログラム。
２２−１０．  ２２−３から２２−９のいずれかに記載のプログラムにおいて、
前記コンピュータに、前記負荷の電力需要予測を示す需要予測情報をさらに利用して、前記上限値を決定する工程を実施させるためのプログラム。
２２−１１．  ２２−１０に記載のプログラムにおいて、
前記コンピュータに、前記放電時間帯における前記電力需要予測の値以上の値を、前記上限値として決定する工程を実施させるためのプログラム。
２２−１２．  ２２−３から２２−１１のいずれかに記載のプログラムにおいて、
前記コンピュータに、前記負荷又は前記蓄電池に電力を供給する発電装置の時間帯毎の発電量予測を示す発電予測情報をさらに利用して、前記上限値を決定する工程を実施させるためのプログラム。
２２−１３．  ２２−１２に記載のプログラムにおいて、
前記コンピュータに、前記発電装置が発電した電力の売電価格を示す売電価格情報をさらに利用して、前記上限値を決定する工程を実施させるためのプログラム。
２２−１４．  ２２−１３に記載のプログラムにおいて、
前記コンピュータに、
前記売電価格が前記買電価格以下の時間帯においては、前記発電装置が発電した電力は前記負荷又は前記蓄電池に供給され、
前記売電価格が前記買電価格より高い時間帯においては、前記発電装置が発電した電力は前記負荷及び前記蓄電池に供給されない、
前提で、前記上限値を決定する工程を実施させるためのプログラム。
２２−１５．  ２２から２２−１３のいずれかに記載のプログラムにおいて、
前記コンピュータに、所定のタイミングで、そのタイミングにおいて前記蓄電池から前記負荷に供給可能な電力量を示す更新放電余力情報を取得し、更新放電余力情報をさらに利用して、前記所定のタイミングより後の前記放電時間帯の前記上限値を更新する工程を実施させるためのプログラム。
２２−１６．  ２２から２２−１５のいずれかに記載のプログラムにおいて、
前記コンピュータに、電力系統から供給される電力量に応じた時間帯毎の特典を示す特典情報をさらに利用して、前記上限値を決定する工程を実施させるためのプログラム。
２２−１７．  ２２−１６に記載のプログラムにおいて、
前記特典情報は、第１の時間帯における前記電力系統から供給される電力量が所定値より少ない場合に所定の特典が得られることを示すものであり、
前記コンピュータに、前記第１の時間帯に含まれる前記放電時間帯に、他の前記放電時間帯より大きい前記上限値を決定する工程を実施させるためのプログラム。
２２−１８．  ２２から２２−１７のいずれかに記載のプログラムにおいて、
前記電力の前記上限値、又は、前記電力量の前記上限値に基づいて特定される各放電時間帯に放電され得る最大電力量は、前記蓄電池から負荷に供給可能な電力量から所定量を差し引いた電力量であるプログラム。
２２−１９．  ２２から２２−１８のいずれかに記載のプログラムにおいて、
前記コンピュータに、前記蓄電池が前記電力系統から電力を取得して充電する充電可能時間帯を決定し、前記充電可能時間帯を除く時間帯を前記放電時間帯として決定する工程を実施させるためのプログラム。
【０１６６】
この出願は、２０１３年９月２７日に出願された日本出願特願２０１３−２００７７４号を基礎とする優先権を主張し、その開示の全てをここに取り込む。
【図１】
2015045552.tif 000003
【図２】
2015045552.tif 000004
【図３】
2015045552.tif 000005
【図４】
2015045552.tif 000006
【図５】
2015045552.tif 000007
【図６】
2015045552.tif 000008
【図７】
2015045552.tif 000009
【図８】
2015045552.tif 000010
【図９】
2015045552.tif 000011
【図１０】
2015045552.tif 000012
【図１１】
2015045552.tif 000013
【図１２】
2015045552.tif 000014
【図１３】
2015045552.tif 000015
【図１４】
2015045552.tif 000016
【図１５】
2015045552.tif 000017
【図１６】
2015045552.tif 000018
【図１７】
2015045552.tif 000019
【図１８】
2015045552.tif 000020
【図１９】
2015045552.tif 000021
【図２０】
2015045552.tif 000022
【図２１】
2015045552.tif 000023
【国際調査報告】
2015045552.tif 000024
2015045552.tif 000025
2015045552.tif 000026
2015045552.tif 000027